(57)【要約】【課題】温水の設定温度をさらに正確に維持させることができるようにした温水洗浄機の温水温度制御方法を提供すること。【解決手段】本発明は温水洗浄機の温水温度制御方法に係り、特に貯蔵タンクに貯蔵された温水の現在温度を感知する第１段階と；温水の現在温度が目標温度より低ければその差等程度によって加熱手段に供給される電源の強さを段階別に調節してくれる第２段階と；第２段階以後温水の現在温度が目標温度と同一になれば加熱手段に供給される電源をオフさせる第３段階と；で構成することによって、洗浄及びビデ使用時設定温度を水を貯蔵する貯蔵タンク内の水温をセンサを介してリアルタイムでチェックして、確認された水温にしたがって加熱手段に供給される電源の強さを段階的に制御することによって設定温度の温水温度をさらに正確に維持させることができるようにした温水洗浄機の温水温度制御方法に関する。【選択図】図３
2007297901.tif 000002
【特許請求の範囲】
【請求項１】
温水洗浄機の温水温度制御方法において、
貯蔵タンクに貯蔵された温水の現在温度を感知する第１段階；及び
前記感知された温水の現在温度を設定された目標温度と比較してその差等の程度によって加熱手段に供給される電源の強さを段階別に調節する第２段階；を含んで進行することを特徴とする温水洗浄機の温水温度制御方法。
【請求項２】
前記現在温度が目標温度より１℃低ければ加熱手段に駆動電源の６０％を供給することを特徴とする、請求項１に記載の温水洗浄機の温水温度制御方法。
【請求項３】
前記現在温度が目標温度より２℃低ければ加熱手段に駆動電源の８０％を供給することを特徴とする、請求項１に記載の温水洗浄機の温水温度制御方法。
【請求項４】
前記現在温度が目標温度より３℃低ければ加熱手段に駆動電源の１００％を供給することを特徴とする、請求項１に記載の温水洗浄機の温水温度制御方法。
【請求項５】
前記第２段階以後温水の現在温度が目標温度と同一になれば加熱手段に供給される電源をオフさせる第３段階；をさらに含んで進行することを特徴とする、請求項１に記載の温水洗浄機の温水温度制御方法。
【発明の詳細な説明】
【技術分野】
【０００１】
本発明は温水洗浄機の温水温度制御方法に係り、さらに詳細には洗浄及びビデ使用時水を貯蔵する貯蔵タンク内の水温をセンサを介してリアルタイムでチェックして、確認された水温にしたがって加熱手段に供給される電源の強さを段階的に制御することによって設定温度の温水温度をさらに正確に維持させることができるようにした温水洗浄機の温水温度制御方法に関する。
【背景技術】
【０００２】
図１は一般的な貯湯式温水洗浄機を示すものであって、洗浄水を供給する給水手段１と、給水手段１から供給された洗浄水を貯蔵する貯蔵タンク２と、前記貯蔵タンク２に貯蔵された洗浄水を加熱して一定温度に維持させる加熱手段３と、制御部１１の制御によって前記貯蔵タンク２に貯蔵された洗浄水を流量調節して排出させる流量調節部４と、前記流量調節部４の出水口側に設置されてユーザーの肛門に向けて洗浄水を噴射する洗浄ノズル５と、前記流量調節部４の出水口側に設置されて身体の局部に向けて洗浄水を噴射するビデノズル６と、前記ノズル５、６の洗浄のための洗浄ノズル７と、洗浄及びビデ機能の具現のための複数個のキーで構成されたキー部８と、前記貯蔵タンク２に貯蔵された洗浄水の現在温度を感知する温度センサ９と、ユーザーが便器に着座した状態を感知する着座感知手段１０と、ユーザーのキー部８入力によって流量調節部４を作動させて洗浄ノズル５またはビデノズル６に洗浄水が排出されるようにすると同時に温度センサ９で感知される洗浄水温度が目標温度を維持するように加熱手段３を制御する制御部１１と、で構成される。
【０００３】
このように構成される温水洗浄機において従来の温水温度制御方法は図２に示すように、温度センサ９で感知される貯蔵タンク２内洗浄水の現在温度が目標温度より低ければ加熱手段３の電源を１００％印加する段階と、電源供給後貯蔵タンク２内の洗浄水の現在の温度が目標温度より高ければ加熱手段３の電源をオフさせる段階と、で構成される。
【０００４】
しかし、従来の温水温度制御方法は洗浄及びビデ使用時設定された温水温度を維持するために加熱手段３に１００％の電源を印加して貯蔵タンク２内の洗浄水を加熱することによって洗浄水温度が過熱される問題点が発生している。
【０００５】
また、温度センサ９を利用してリアルタイムで貯蔵タンク２内の洗浄水温度をチェックしても加熱手段３に供給される電源を１００％印加または遮断する方式で制御することによってリアルタイムで吐出される温水温度を正確に制御しにくい問題点が発生している。
【発明の開示】
【発明が解決しようとする課題】
【０００６】
したがって、前記問題点を解決するための本発明は貯蔵タンクに貯蔵された温水の現在温度を感知する第１段階と；温水の現在温度が目標温度より低ければその差等の程度によって加熱手段に供給される電源の強さを段階別に調節してくれる第２段階；及び、第２段階以後温水の現在温度が目標温度と同一になれば加熱手段に供給される電源をオフさせる第３段階；で構成することによって、洗浄及びビデ使用時設定温度を水を貯蔵する貯蔵タンク内の水温をセンサを介してリアルタイムでチェックして、確認された水温にしたがって加熱手段に供給される電源の強さを段階的に制御することによって温水の設定温度をさらに正確に維持させることができるようにした温水洗浄機の温水温度制御方法を提供することを目的にする。
【課題を解決するための手段】
【０００７】
前記目的達成のための本発明の温水洗浄機温水温度制御方法は、
貯蔵タンクに貯蔵された温水の現在温度Ｔを感知する第１段階；及び
温水の現在温度Ｔが目標温度Ｆより低ければその差等程度によって加熱手段に供給される電源の強さを段階別に調節してくれる第２段階；を含み、
前記第２段階以後温水の現在温度Ｔが目標温度Ｆと同一になれば加熱手段に供給される電源をオフさせる第３段階；をさらに含んで進行することを特徴とする。
【０００８】
また、前記第２段階は、現在温度Ｔが（Ｆ−１）℃ならば加熱手段に駆動電源の６０％を供給して、現在温度が（Ｆ−２）℃ならば加熱手段に駆動電源の８０％を供給して、現在温度Ｔが（Ｆ−３）℃ならば加熱手段に駆動電源の１００％を供給して現在温度Ｔの差等程度によって段階別に加熱手段を制御することを特徴とする。
【発明の効果】
【０００９】
以上で説明したように本発明は洗浄及びビデ使用時水を貯蔵する貯蔵タンク内の水温をセンサを介してリアルタイムでチェックして、確認された水温によって加熱手段に供給される電源の強さを段階的に制御することによって温水の設定温度をさらに正確に目標温度に近接するように維持させて、温度偏差による傷害（火傷）を予防する効果を得ることができるものである。
【発明を実施するための最良の形態】
【００１０】
以下、添付した図面図１及び図３を参照して本発明の望ましい実施形態を説明すると次のようである。
【００１１】
本発明の温水温度制御方法は図１に構成された一般的な温水洗浄機の構成により成り立つのでこれを参照しながら説明する。
【００１２】
本発明の温水温度制御方法は温度センサ９で感知される貯蔵タンク２内の温水現在温度Ｔと目標温度Ｆとの差等の程度によって加熱手段３に供給される駆動電源の強さを段階別で制御して温水が目標温度に維持するようにすることである。
【００１３】
このための制御方法は、図３のフローチャートのように貯蔵タンク２に貯蔵された温水の現在温度Ｔを感知する第１段階と、温水の現在温度Ｔが目標温度Ｆより低ければその差等の程度によって加熱手段３に供給される電源の強さを段階別に調節する第２段階と、そして第２段階以後温水の現在温度Ｔが目標温度Ｆと同一になれば加熱手段３に供給される電源をオフさせる第３段階と、を含む。
【００１４】
このように構成された本発明の動作を説明すると次のようである。
【００１５】
本発明の説明は温水の目標温度が４０℃であることを一実施形態にして説明する。
【００１６】
まず、温度センサ９は貯蔵タンク２内の温水現在温度Ｔを感知して制御部１１に供給して、前記制御部１１は現在温度Ｔが目標温度Ｆと同一なのかそれとも低いのかを判断する。
【００１７】
前記判断の結果として、現在温度Ｔが目標温度Ｆ以下ならば、制御部１１は現在温度の差等の程度によって加熱手段３に供給される駆動電源の強さを段階的に制御するようになる。
【００１８】
例えば、目標温度Ｆが４０℃なのに現在温度Ｔが３９℃ならば、前記制御部１１は加熱手段３に供給される駆動電源を６０％だけ供給して貯蔵タンク２内の温水温度が急激に上昇しないようにして、現在温度Ｔが３８℃ならば前記制御部１１は加熱手段３に供給される駆動電源を８０％だけ供給して、現在温度Ｔが３７℃ならば制御部１１は加熱手段３に供給される駆動電源を１００％供給して貯蔵タンク２に貯蔵された温水の温度が比較的急速に上昇するようにすることである。
【００１９】
そして、前記加熱手段３に駆動電源が１００％供給された以後に温度センサ９で感知される温水温度が上昇するようになればそれに対応して加熱手段３に供給される駆動電源を段階的に減少させる。
【００２０】
前記のような制御動作により温度センサ９で感知される温水の現在温度Ｔが目標温度Ｆに到達すれば、前記制御部１１は加熱手段３に供給される電源をオフさせてこれ以上温水温度が上昇して過熱されることを遮断することである。
【００２１】
このような本発明の動作により貯蔵タンク２に貯蔵されている温水の温度が常に目標温度Ｆに近接した状態を維持するようになって、ユーザーは温度偏差が甚だしくない温水を用いることができるようになる。
【図面の簡単な説明】
【００２２】
【図１】一般的な温水洗浄機を見せたブロック図である。
【図２】従来の温水洗浄機の温水温度制御方法を見せるフローチャートを示す図である。
【図３】本発明の温水洗浄機の温水温度制御方法を見せるフローチャートを示す図である。
【符号の説明】
【００２３】
１  給水手段
２  貯蔵タンク
３  加熱手段
４  流量調節部
５  洗浄ノズル
６  ビデノズル
７  洗浄ノズル
８  キー部
９  温度センサ
１０  着座感知手段
１１  制御部
【図１】
2007297901.tif 000003
【図２】
2007297901.tif 000004
【図３】
2007297901.tif 000005